(57)【要約】【課題】  高速回転によるモータ部やモータ制御部の発熱による温度上昇を抑制し、かつ、ドライバーによるネジ締めの作業性の良好な回転多面鏡走査装置およびこれを搭載した画像形成装置を提供する。【解決手段】  回転多面鏡走査装置をレーザ走査装置の構造体へ固定するための固定用の孔１６の付近に、それら各孔１６と回転多面鏡１１との間を仕切る保護カバー１７をそれぞれ設け、そのカバー部１７ａの高さを、回転多面鏡１１の上端よりも若干高い位置になるようにし、保護カバー１７を伝熱性が高く、かつ、非磁性の金属で形成させる。また、その保護カバー１７は、ベース部材の一部で形成するとよい。【選択図】      図２
2005225170.tif 000002
【特許請求の範囲】
【請求項１】
照射されるレーザ光を走査線に変換する回転多面鏡と、
回転多面鏡を回転可能に保持するベース部材とを備え、
ベース部材にはネジを挿入させてレーザ走査装置の構造体へ固定するための固定用の孔が形成され、
ベース部材の固定用の孔の付近に、孔と回転多面鏡との間を仕切る保護カバーが設けられている回転多面鏡走査装置において、
前記保護カバーは、高伝熱性の材質で形成されている
ことを特徴とする回転多面鏡走査装置。
【請求項２】
請求項１に記載の回転多面鏡走査装置において、
前記保護カバーは、非磁性の材質で形成されている
ことを特徴とする回転多面鏡走査装置。
【請求項３】
請求項１又は２に記載の回転多面鏡走査装置において、
前記保護カバーは、前記ベース部材の一部で形成されている
ことを特徴とする回転多面鏡走査装置。
【請求項４】
回転多面鏡走査装置により潜像担持体上に形成された静電潜像をトナーで可視化する画像形成装置において、
前記画像形成装置は、請求項１ないし３のいずれかに記載の回転多面鏡走査装置を備える
ことを特徴とする画像形成装置。
【発明の詳細な説明】
【技術分野】
【０００１】
本発明は、デジタルＰＰＣ、デジタルＦＡＸ、レーザプリンタ等に用いられるレーザ走査装置における回転多面鏡走査装置および画像形成装置に関する。
【背景技術】
【０００２】
従来の回転多面鏡走査装置では、小型化するためにベース部材に形成する固定用の孔が回転多面鏡に比較的近接した位置になるため、その孔にネジを挿入して、この回転多面鏡走査装置をレーザ走査装置の構造体に取り付ける際に、誤ってドライバーやネジ等で回転多面鏡の反射面を損傷したり、汚したりする恐れがあった。
【０００３】
特許文献１記載の回転多面鏡走査装置によれば、上記ベース部材の固定用の孔の付近に、その孔と回転多面鏡との間を仕切る保護カバーを設けることにより、保護カバーが回転多面鏡を保護するので、この回転多面鏡走査装置をレーザ走査装置の構造体に取り付ける際に、誤ってドライバーやネジ等によって、を損傷したり、汚したりするのを防止することができる。
【０００４】
また、近年の多面鏡走査装置を用いるレーザプリンタや、デジタルＰＰＣでは、より高密度、高速を求められることより、回転多面鏡走査装置はそれに伴い、より高速回転が必要となってきている。高速回転により、回転多面鏡走査装置はモータ部やモータ制御部の発熱も大きくなり、回転多面鏡走査装置の温度上昇が耐熱範囲を越え、故障や、特性の劣化を引き起こすことがある。よって、回転多面鏡走査装置の更なる温度上昇防止（放熱）が必要となっている。
【０００５】
一方、一般にネジ締め作業は、磁性体のネジを使用し、ドライバーの先端には磁力を持たせ、その磁力によりドライバーの先端にネジを吸着させて行う。特許文献１に記載の回転多面鏡走査装置によれば、保護カバーはネジを挿入する部分に近接しているので、保護カバーが磁性体であると、ドライバーの先端がその磁力により保護カバーにひきつけられてしまい、ネジ締め作業が困難となる問題があった。
【０００６】
また、特許文献２には、回転多面鏡走査装置の温度上昇防止を目的として、放熱用のカバーおよびフィンが記載されているが、このカバーは、回転多面鏡走査装置をレーザ走査装置の構造体に取り付ける際に回転多面鏡を保護する機能については有していない。
【０００７】
【特許文献１】特開平１１−２４９０５４号公報
【特許文献２】特開２００２−３０３８１６号公報
【発明の開示】
【発明が解決しようとする課題】
【０００８】
上記問題点に鑑み、本発明は、高速回転によるモータ部やモータ制御部の発熱による回転多面鏡の温度上昇を抑制し、かつ、ドライバーによるネジ締めの作業性の良好な回転多面鏡走査装置およびこれを搭載した画像形成装置を提供することを課題とする。
【課題を解決するための手段】
【０００９】
上記課題を解決するために、本発明は、以下の特徴を有している。
請求項１に記載の回転多面鏡走査装置では、照射されるレーザ光を走査線に変換する回転多面鏡と、回転多面鏡を回転可能に保持するベース部材とを備え、ベース部材にはネジを挿入させてレーザ走査装置の構造体へ固定するための固定用の孔が形成され、ベース部材の固定用の孔の付近に、孔と回転多面鏡との間を仕切る保護カバーが設けられている回転多面鏡走査装置において、前記保護カバーは、高伝熱性の材質で形成されていることを特徴とする。
請求項２に記載の回転多面鏡走査装置では、さらに、前記保護カバーは、非磁性の材質で形成されていることを特徴とする。
請求項３に記載の回転多面鏡走査装置では、さらに、 前記保護カバーは、前記ベース部材の一部で形成されていることを特徴とする。
請求項４に記載の画像形成装置では、回転多面鏡走査装置により潜像担持体上に形成された静電潜像をトナーで可視化する画像形成装置において、前記画像形成装置は、請求項１ないし３のいずれかに記載の回転多面鏡走査装置を備えることを特徴とする。
【発明の効果】
【００１０】
以上説明したように、本発明の回転多面鏡走査装置では、回転多面鏡走査装置の温度上昇を抑制することができる。
さらに、本発明の回転多面鏡走査装置では、ネジ締め作業をスムーズに行うことができる。
さらに、本発明の回転多面鏡走査装置では、組立費や部品費を安価にすることができる。
また、本発明の画像形成装置では、上記の回転多面鏡走査装置を備え、高画質の画像形成を行うことができ、組立費や部品費を安価とし、かつ、組立時の作業性を向上させることができる。          
【発明を実施するための最良の形態】
【００１１】
以下に、本発明の実施の形態を図面に基づいて説明する。
図１は、この発明による回転多面鏡走査装置の一実施形態例を示す平面図である。
図２は、同じくその回転多面鏡走査装置を示す正面図である。
図３は、同じくその回転多面鏡走査装置を示す側面図である。
この回転多面鏡走査装置は、図示しないレーザ走査装置のレーザ光照射装置から照射されるレーザ光を走査線に変換する回転多面鏡１１と、その回転多面鏡１１を回転軸１２ａに十字状の板バネ１０を使用して固定したモータ１２と、回転多面鏡１１を回転可能に保持した状態でモータ１２を固定保持する略長方形をしたベース部材１３と、モータ１２の回転を制御する制御基板１４とを備えている。そのベース部材１３には、図２に示すネジ１５をそれぞれ挿入させて、この回転多面鏡走査装置を図示しないレーザ走査装置の構造体へ固定するための固定用の孔１６が４隅にそれぞれ形成されている。
【００１２】
そして、その固定用の各孔１６の付近に、それら各孔１６と回転多面鏡１１との間を仕切る保護カバー１７をそれぞれ設けている。その保護カバー１７は、図４に示すような形状に形成されており、そこには円弧状に湾曲して所定の幅Ｗに形成されたカバー部１７ａと、そのカバー部１７ａの下端から直角に屈曲された固定部１７ｂとが形成されている。
そして、そのカバー部１７ａの高さＨを、図３に示すように例えば回転多面鏡１１の上端よりも若干高い位置になるようにしている。
その保護カバー１７のベース部材１３への固定は、固定部１７ｂに形成した取付孔１７ｃ（図４）にネジ１８を挿入し、そのネジ１８をベース部材１３にそれぞれ形成されている各ネジ孔１９（図３参照）に螺着することにより行なう。その保護カバー１７は、ベース部材１３に固定された状態では、カバー部１７ａが、固定用の各孔１６の周囲のうち、回転多面鏡１１に近い側を前述した所定の幅Ｗ（図４）で覆うようになる。なお、図１で２０は、コネクタである。
【００１３】
ここで、この保護カバー１７は伝熱性の高い材質で形成させる。そうすることにより、回転多面鏡走査装置の発熱は、ベース部材１３から保護カバー１７へ伝わり、保護カバー１７の表面から放熱し、保護カバー１７が放熱フィンの役割を果たし、回転多面鏡走査装置の温度上昇を抑制することができる。
【００１４】
伝熱性（熱伝導率）の高い材料としては、一般的には金属が考えられ、一般的な樹脂、セラミック、その他の非金属材料は、金属に比べて熱伝導率が低くなる。
金属の中でも、材料の調達性、コスト、加工性などから、具体的には、鉄鋼（鋼板）、
ステンレス、アルミニウム合金、銅合金（黄銅、青銅など）、亜鉛合金、マグネシウム合金
等を使用できる。
【００１５】
更に、この保護カバー１７の材質を非磁性の金属で形成させる。そうすることにより、本回転多面鏡走査装置の工場での組立作業時や、市場での交換時の作業性を向上させることができる。
前記のように、ドライバーの先端には磁力が発生しており、保護カバー１７はネジ１５を挿入する部分に近接しているため、保護カバー１７が磁性体であると、ベース部材１３のネジ孔１６にネジ１５を挿入して、この回転多面鏡走査装置を図示しないレーザ走査装置の構造体へ固定するネジ締め作業時、または取り外し作業時に、保護カバー１７にドライバーの先端が引きつけられてしまうという不具合がある。
これに対し本発明では、保護カバー１７を非磁性体とするため、ドライバーの先端に磁力があっても、保護カバー１７に引きつけられることがなく、ネジ締め作業をスムーズに行うことができる。
【００１６】
鉄系の材質は磁性体なので、前記の高電熱性の材質の内、非磁性の材質としては、鉄鋼（鋼板）、ステンレス（マルテンサイト系）は使用できないため、材料としては、ステンレス（オーステナイト系等）、アルミニウム合金、銅合金（黄銅、青銅等）、亜鉛合金、マグネシウム合金等が使用できる。
【００１７】
図５は、この発明による回転多面鏡走査装置の他の実施の形態を示す図１と同様な平面図である。
図６は、同じくその回転多面鏡走査装置を示す図２と同様な正面図である。
図７は、同じくその回転多面鏡走査装置を示す図３と同様な側面図であり、図１ないし図３と対応する部分には、ベース部材と保護カバーを除いて同一の符号を付してある。
この実施の形態による回転多面鏡走査装置は、保護カバー３７をベース部材３３の一部で形成している。すなわち、その保護カバー３７を、例えば非磁性の金属であるアルミによりベース部材３３と一体成形で形成する。
【００１８】
このようにしても、回転多面鏡走査装置の発熱は、ベース部材から保護カバー部へ伝わり、保護カバーの表面から放熱するので、保護カバー部が放熱フィンの役割を果たし、回転多面鏡走査装置の温度上昇を抑制することができる。また、回転多面鏡走査装置の工場での組立作業時や、市場での交換時の作業性を向上させることができる。
このように、保護カバー３７をベース部材３３の一部で形成するようにすれば、その保護カバー３７を別部材で形成する場合に比べて組立費や部品費を低減することができる。
【００１９】
図８は、本発明の回転多面鏡走査装置４が組み込まれる画像形成装置１の一実施例を示す概略構成図である。
近年、より高速回転が必要となってきている回転多面鏡走査装置４の温度上昇を放熱性保護カバー１７、３７で抑制できるため、画像劣化を防止したより高画質の画像形成装置１を提供するとともに、前記保護カバー１７，３７を非磁性体とすることで、回転多面鏡走査装置の組立時の作業性を向上させた画像形成装置とすることができる。
【図面の簡単な説明】
【００２０】
【図１】本発明の一実施形態例である回転多面鏡走査装置の平面図である。
【図２】本発明の一実施形態例である回転多面鏡走査装置の正面図である。
【図３】本発明の一実施形態例である回転多面鏡走査装置の側面図である。
【図４】本発明の回転多面鏡走査装置に用いる回転多面鏡の保護カバーの形状を示す図である。
【図５】本発明の他の実施形態例である回転多面鏡走査装置の平面図である。
【図６】本発明の他の実施形態例である回転多面鏡走査装置の正面図である。
【図７】本発明の他の実施形態例である回転多面鏡走査装置の側面図である。
【図８】本発明の回転多面鏡走査装置が組み込まれる画像形成装置の概略構成図である。
【符号の説明】
【００２１】
１  画像形成装置
２  像担持体
３  帯電手段
４  回転多面鏡走査装置
５  現像手段
６  転写手段
７  クリーニング手段
１０  板バネ  
１１  回転多面鏡
１１ａ  ミラー  
１２  モータ
１２ａ  モータ回転軸
１３  ベース部材
１４  制御基板
１５  回転多面鏡固定用のネジ
１６  回転多面鏡固定用の孔
１７  保護カバー
１７ａ  カバー部
１７ｂ  固定部
１７ｃ  取付孔
１８  保護カバー固定用のネジ
１９  保護カバー固定用の孔
２０  コネクタ
３３  ベース部材
３７  保護カバー
【図１】
2005225170.tif 000003
【図２】
2005225170.tif 000004
【図３】
2005225170.tif 000005
【図４】
2005225170.tif 000006
【図５】
2005225170.tif 000007
【図６】
2005225170.tif 000008
【図７】
2005225170.tif 000009
【図８】
2005225170.tif 000010